(57)【要約】【課題】本発明は、横方向と前方向にも浄化空気を供給できるようにして室内の浄化を速やかに行なうことのできる空気清浄機を提供することを目的としている。【解決手段】内部にファン１および集塵部２を有する縦長の本体３と、本体３の側面に設けられる横吹出口５と、横吹出口５側寄りの本体３の前面に設けられる縦長の前吹出口６とを備え、前吹出口６より送風される吹出風量を横吹出口５より送風される吹出風量より小さく形成することにより、横方向と前方向にも浄化空気を供給できるようにして、室内の浄化を速やかに行なうことのできる空気清浄機が得られる。【選択図】図１
2006017343.tif 000002
【特許請求の範囲】
【請求項１】
内部にファンおよび集塵部を有する縦長の本体と、この本体の側面に設けられる横吹出口と、この横吹出口側の本体前面に前吹出口を設けた空気清浄機。
【請求項２】
前吹出口の形状を縦長形状とした請求項１記載の空気清浄機。
【請求項３】
前吹出口から送風される吹出風量を横吹出口から送風される吹出風量より少なくした請求項１記載の空気清浄機。
【請求項４】
前吹出口にイオン化手段を設け、集塵部を電気式とした請求項１記載の空気清浄機。
【請求項５】
前吹出口と横吹出口から送風される風の流れを略同一方向とした請求項３記載の空気清浄機。
【請求項６】
横吹出口にイオン化手段を設けた請求項１または４記載の空気清浄機。
【請求項７】
イオン化手段にマイナスの高電圧を印加し、集塵部にプラスの高電圧を印加する構成とした請求項４または６記載の空気清浄機。
【請求項８】
イオン化手段および集塵部にマイナスの同一高電圧を印加する構成とした請求項４または６記載の空気清浄機。
【請求項９】
前吹出口に風向変更ルーバーを設けた請求項１記載の空気清浄機。
【請求項１０】
集塵部の風上側に第２のイオン化手段を設置した請求項４または６記載の空気清浄機。
【発明の詳細な説明】
【技術分野】
【０００１】
本発明は、室内の汚染された空気を浄化する空気清浄機に関する。
【背景技術】
【０００２】
従来、この種の空気清浄機は、横吹き出しのものが知られている（例えば、特許文献１参照）。
【０００３】
以下、その空気清浄機について図１３および図１４を参照しながら説明する。
【０００４】
図に示すように、縦長のフレーム１０１と縦長のパネル１０２により縦長の本体１０３を形成し、パネル１０２に吸込口１０４を設け、フレーム１０１の側面に横吹き出しとなる吹出口１０５を設け構成していた。
【特許文献１】特公平４−７０９２５号公報（第２頁、第２図、第３図）
【発明の開示】
【発明が解決しようとする課題】
【０００５】
このような従来の空気清浄機では、前方のパネル１０２に設けた吸込口１０４より吸い込み、側面に横方向に向いた吹出口１０５より吹き出していたため本体１０３の前方には清浄空気の供給量が少ないという課題があり、横方向に加えて前方向にも浄化空気を供給できるようにして、空気の循環を良好にし、室内をすばやくきれいにすることが要求されている。
【０００６】
本発明は、このような従来の課題を解決するものであり、横方向と前方にも浄化空気を供給できるようにして室内の浄化を速やかに行なうことのできる空気清浄機を提供することを目的としている。
【課題を解決するための手段】
【０００７】
本発明の空気清浄機は上記目的を達成するために、内部にファンおよび集塵部を有する縦長の本体と、この本体の側面に設けられる横吹出口と、この横吹出口側の本体前面に前吹出口を設けたものである。
【０００８】
この手段により、室内空気の循環を良好にして、室内空気を速やかに浄化することのできる空気清浄機が得られる。
【０００９】
また、他の手段は、前吹出口の形状を縦長形状としたものである。
【００１０】
この手段により、縦長に均一の気流が発生し、室内空気の循環を良化することができる空気清浄機が得られる。
【００１１】
また、他の手段は、前吹出口から送風される吹出風量を横吹出口から送風される吹出風量より少なくしたものである。
【００１２】
この手段により、ドラフト感を低減できる空気清浄機が得られる。
【００１３】
また、他の手段は、前吹出口にイオン化手段を設け、集塵部を電気式としたものである。
【００１４】
この手段により、室内のイオンの充満をすばやく行なうことができ、また、電気集塵効率の向上を図ることのできる空気清浄機が得られる。
【００１５】
また、他の手段は、前吹出口と横吹出口から送風される風の流れを略同一方向としたものである。
【００１６】
この手段により、イオンの拡散を助長することのできる空気清浄機が得られる。
【００１７】
また、他の手段は、横吹出口にイオン化手段を設けたものである。
【００１８】
この手段により、室内にイオンを多く放出できる空気清浄機が得られる。
【００１９】
また、他の手段は、イオン化手段に、マイナスの高電圧を印加し、集塵部にプラスの高電圧を印加する構成としたものである。
【００２０】
この  手段により、高い集塵性能を得ることができる空気清浄機が得られる。
【００２１】
また、他の手段は、イオン化手段および集塵部にマイナスの同一高電圧を印加する構成としたものである。
【００２２】
この手段により、コストダウンおよび高圧ユニットの小型化が図れる。
【００２３】
また、他の手段は、前吹出口に風向変更ルーバーを設けたものである。
【００２４】
この手段により、イオンの拡散効率を高めることができる。
【００２５】
また、他の手段は、集塵部の風上側に第２のイオン化手段を設置したものである。
【００２６】
この手段により、集塵性能を高めることのできる空気清浄機が得られる。
【発明の効果】
【００２７】
本発明によれば、室内空気の循環を良化し、浄化を速やかに行なうことのできる空気清浄機を提供できる。
【００２８】
また、ドラフト感を低減できる。
【００２９】
また、イオンの放出を助長し、イオンの放出の増大を図ることのできる空気清浄機を提供できる。
【００３０】
また、高い集塵性能を得ることのできる空気清浄機を提供できる。
【００３１】
また、コストダウンおよび高圧ユニットの小形化を図ることができる。
【発明を実施するための最良の形態】
【００３２】
本発明の請求項１記載の発明は、内部にファンおよび集塵部を有する縦長の本体と、この本体の側面に設けられる横吹出口と、この横吹出口側の本体前面に前吹出口を設けたものであり、横吹出口のみでは本体の前面側に、きれいな空気の供給量が少なかったが、前吹出口を設けることにより、空気の循環を良くし、室内をすばやくきれいにすることができるという作用を有する。
【００３３】
また、請求項２記載の発明は、前吹出口の形状を縦長形状としたものであり、縦長に均一の気流が発生し、室内の空気の循環を良化するという作用を有する。
【００３４】
また、請求項３記載の発明は、前吹出口から送風される吹出風量を横吹出口から送風される吹出風量より少なくしたものであり、前に吹き出す風量を抑えることにより、ドラフト感を低減することができるという作用を有する。
【００３５】
また、請求項４記載の発明は、前吹出口にイオン化手段を設け、集塵部を電気式としたものであり、本体前方へのイオンの拡散が良くなり、室内全体へのイオンの充満をすばやく行なうことができ、電気集塵効率を向上することができるという作用を有する。
【００３６】
また、請求項５記載の発明は、前吹出口と横吹出口から送風される風の流れを略同一方向としたものであり、前吹出口から放出されるイオンが横吹き出しの送風に乗り、イオンの拡散を助長するという作用を有する。
【００３７】
また、請求項６記載の発明は、横吹出口にイオン化手段を設けたものであり、イオン発生部が増えるため、より多くのイオンを放出することができると共に、風量が大きいので室内に多くのイオンを放出することができるという作用を有する。
【００３８】
また、請求項７記載の発明は、イオン化手段にマイナスの高電圧を印加し集塵部にプラスの高電圧を印加する構成としたものであり、集塵部においてプラスの電圧を印加した場合、マイナスに帯電した粉塵は、空間内の電界に引っ張られるとともに、クーロン力によりプラスの電極板に引き付けられ高い集塵性能を得ることができるという作用を有する。
【００３９】
また、請求項８記載の発明は、イオン化手段および集塵部にマイナスの同一高電圧を印加する構成としたものであり、イオン化手段の電圧と、集塵部の電圧値を同じとすることで、一つの出力端子で電圧を供給することができ、コストダウンにつながる。また、出力を一つにすることで高圧ユニットの大きさが小さくできるとともに、負イオン帯電した粉塵は、集塵部でマイナスの対抗電極に引き付けられ、集塵性能は維持することができる。
【００４０】
また、請求項９記載の発明は、前吹出口に風向変更ルーバーを設けたものであり、空気清浄機本体を室内に設置するとき、設置する向きにより性能が変化していたが、前吹出口に風向変更ルーバーを設けることによりイオンの拡散が良くできる向きに風向きを設定することができるとともにドラフト感を少なくすることができる。
【００４１】
また、請求項１０記載の発明は、集塵部の風上側に第２のイオン化手段を設置したものであり、吹き出し口にイオン化手段を設けているものの、室内の大きさや家具の配置によりイオンの拡散が十分でない場合があり、このときは粉塵の負イオン帯電が不充分となるが、集塵部の手前に第２の集塵性能を高めることができるという作用を有する。
【００４２】
以下、本発明の実施の形態について図面を参照しながら説明する。
【００４３】
（実施の形態１）
図１〜図５に示すように、内部ファン１を縦長に設け、ファン１の吸気側に縦長の集塵部２を有した縦長の本体３と、本体３の一側面には横吸込口４を有し、他側面には横吹出口５を設け、横吹出口５側の本体３の前面に縦長形状の前吹出口６を設け、前吹出口６から送風される吹出風量を横吹出口５から送風される吹出風量より少なく形成し、前吹出口６と横吹出口５から送風される風の流れを略同一方向となるように形成する。
【００４４】
また、前吹出口６には針状の放電電極７と、この放電電極７に対向する対向電極８からなるイオン化手段９を設け、イオン化手段９の放電電極７にマイナスの高電圧を印加し、集塵部２の集塵電極１０にはプラスの高電圧が印加できるように高圧電源１１を設けアース電極１２と対向電極８はＧＮＤに接続して構成する。
【００４５】
上記構成において、空気清浄機を運転すると、ファン１が駆動し、横吸込口４から吸い込まれた空気が集塵部２を通り、横吹出口５と前吹出口６に分流して気流は流れる。
【００４６】
また、前吹出口６に設けたイオン化手段９によりマイナスのイオンが発生し、横吹出口５および前吹出口６から吹き出される気流により室内に放散され、室内の空気中に含まれる粉塵がマイナスに帯電され、マイナスに帯電された粉塵を含む空気は、横吸込口４から吸い込まれ集塵部２のプラスの集塵電極１０とアース電極１２の間を通過するときにマイナスに帯電された粉塵は、図５に示すように、クーロン力Ｆの作用により集塵電極１１側に引き寄せられ集塵されることとなる。
【００４７】
そして、集塵された清浄な空気がファン１によりイオン化手段９を設けた前吹出口６に送られることにより、イオン化手段９が粉塵により汚染することがなく、イオン化効率が低下するのが緩和され、空気の循環も良くなり、室内空気の浄化が促進されることとなる。
【００４８】
また、横吹出口５および前吹出口６を縦長に形成していることにより縦長の均一の気流が発生し、室内の空気の循環が良くなるとともに、前吹出口６から送風される吹出風量を横吹出口５から送風される吹出風量より少なく形成しているので、前吹出口６から吹き出される気流によるドラフト感を緩和することができる。
【００４９】
また、前吹出口６と横吹出口５から送風される風の流れを略同一方向としたことにより、前吹出口６より放出されるマイナスのイオンが横吹出口５の送風機流に乗りイオンの拡散が助長されることとなる。
【００５０】
（実施の形態２）
図６および図７に示すように、横吹出口５Ａに放電電極７Ａと対向電極８Ａからなるイオン化手段９Ａを設け構成する。
【００５１】
上記構成において、空気清浄機を運転すると、イオン化手段９Ａによりマイナスのイオンが発生し、風量の大きい横吹出口５Ａより大量のイオンが放出され、室内の空気中に含まれる多くの粉塵がマイナスに帯電された状態となり、横吸込口４より吸い込まれ集塵部２の集塵電極１０に大量の粉塵が捕集されるとともに、前吹出口にもイオン化手段（図示せず）を設けるとさらに集塵効率が高まることとなる。
【００５２】
（実施の形態３）
図８〜図１０に示すように、前吹出口６Ａに針状の放電電極７Ｂと、放電電極７Ｂに対向する対向電極８Ｂからなるイオン化手段９Ｂを設け、イオン化手段９Ｂの放電電極７Ｂにマイナスの高電圧を印加し、集塵部２Ａの集塵電極１０Ａにも同一のマイナス高電圧を印加できるように高圧電源１１Ａを設け、アース電極１２Ａと対向電極８ＢはＧＮＤに接続して構成する。
【００５３】
上記構成において、空気清浄機を運転すると、ファン１が駆動し、横吸込口４から吸い込まれた空気が集塵部２Ａを通り横吹出口５と前吹出口６Ａに分流して気流は流れる。
【００５４】
また、前吹出口６Ａに設けたイオン化手段９Ｂにより、マイナスのイオンが発生し、横吹出口５および前吹出口６Ａから吹き出される気流により室内に放散され、室内の空気中に含まれる粉塵がマイナスに帯電され、マイナスに帯電された粉塵を含む空気は、横吸込口４から吸い込まれ集塵部２Ａのマイナスの集塵電極１０Ａとアース電極１２Ａの間を通過するときに、マイナスに帯電された粉塵は図１０に示すようにクーロン力Ｆの作用により、アース電極１２Ａ側に引き寄せられ、アース電極１２Ａが集塵部分となって集塵されることとなる。
【００５５】
そして、集塵された清浄な空気がファン１によりイオン化手段９Ｂを設けた前吹出口６Ａに送られることにより、イオン化手段９Ｂが粉塵により汚染されることがなく、イオン化効率が低下するのが緩和されるとともに、高圧電源１１Ａはマイナスの高電圧のみを供給すれば良いので、イオン化手段にマイナスの高電圧を送り、集塵部にプラスの高電圧を送る場合のように、２種類の高電圧を供給できるようにするため、高圧電源が大形になっていたが、１種類の高電圧を供給することにより、高圧電源１１Ａの小形化を図ることができ、本体３への組み込みがし易くなるとともにコスト低減を図ることができる。
【００５６】
なお、実施の形態３では、イオン化手段９Ｂ前吹出口６Ａに設けたもので説明をしたが、イオン化手段を横吹出口５に設けても同様の作用効果をもたらすことはいうまでもない。
【００５７】
（実施の形態４）
図１１に示すように、縦長の前吹出口６Ｂに縦長の風向ルーバー１３を複数設けた構成とする。
【００５８】
上記構成において、前吹出口６Ｂに設けた風向ルーバー１３により前吹出口６Ｂから放出されるマイナスのイオンの放出方向を可変することができることとなり、本体３Ａの設置する向きに対応して風向ルーバー１３を調整してマイナスのイオンの拡散の良い状態を形成することができる。
【００５９】
（実施の形態５）
図１２に示すように、集塵部２Ｂの風上側に、放電電極７Ｃと対向電極８Ｃからなる第２のイオン化手段１４の放電電極７Ｃにマイナスの高電圧が印加されるように高圧電源１１Ｂに接続し横吸込口４Ａに対応して設け構成する。
【００６０】
上記構成において、前吹出口６Ａに設けたイオン化手段９Ａにより空気中の粉塵にマイナスの電荷を帯びさせることが十分にできなかった場合においても横吸込口４Ａ内に吸い込まれると第２のイオン化手段１４により粉塵はマイナスの電荷を帯びマイナスの電荷を帯びた粉塵が集塵部２Ａに捕集されることとなり、集塵効率が高められることとなる。
【産業上の利用可能性】
【００６１】
機器外で粉塵にイオンを電荷させ機器内で集塵する技術を用いて集塵機能を組み込んだ空気調和機に容易に利用することができ、粉塵による汚染度を低下させるという用途に適用できる。
【図面の簡単な説明】
【００６２】
【図１】本発明の実施の形態１の空気清浄機の横断面図
【図２】同空気清浄機の斜視図
【図３】同空気清浄機のイオン化手段の拡大斜視図
【図４】同空気清浄機の構成を示す概略図
【図５】同空気清浄機の集塵部におけるクーロン力（Ｆ）の作用を示す説明図
【図６】本発明の実施の形態２の空気清浄機の斜視図
【図７】同空気清浄機の構成を示す概略図
【図８】本発明の実施の形態３の空気清浄機の斜視図
【図９】同空気清浄機の構成を示す概略図
【図１０】同空気清浄機の集塵部におけるクーロン力（Ｆ）の作用を示す説明図
【図１１】本発明の実施の形態４の空気清浄機の要部斜視図
【図１２】本発明の実施の形態５の空気清浄機の構成を示す概略図
【図１３】従来の空気清浄機の分解斜視図
【図１４】（イ）同空気清浄機の正面側を示す斜視図（ロ）同空気清浄機の後面側を示す斜視図
【符号の説明】
【００６３】
１    ファン
２    集塵部
２Ａ  集塵部
２Ｂ  集塵部
３    本体
５    横吹出口
５Ａ  横吹出口
６    前吹出口
６Ｂ  前吹出口
９    イオン化手段
９Ａ  イオン化手段
９Ｂ  イオン化手段
１３  風向ルーバー
１４  第２のイオン化手段
【図１】
2006017343.tif 000003
【図２】
2006017343.tif 000004
【図３】
2006017343.tif 000005
【図４】
2006017343.tif 000006
【図５】
2006017343.tif 000007
【図６】
2006017343.tif 000008
【図７】
2006017343.tif 000009
【図８】
2006017343.tif 000010
【図９】
2006017343.tif 000011
【図１０】
2006017343.tif 000012
【図１１】
2006017343.tif 000013
【図１２】
2006017343.tif 000014
【図１３】
2006017343.tif 000015
【図１４】
2006017343.tif 000016